(57)【要約】【課題】組み立てが容易であり、且つ美観に優れたキッチンカウンタを提供することである。【解決手段】キッチンカウンタ１は、合成樹脂製のカウンタ本体２とシンク３を有している。カウンタ本体２は、中央付近に開口４を有し、開口４の周縁部５には、係合片６が設けられている。係合片６は、開口４の内側に突出している。シンク３は、天面側にフランジ１１を有し、フランジ１１の周縁部１３には、係止片１４が設けられている。係止片１４は、フランジ１１の外側に突出している。カウンタ本体２が備える係合片６の上に、シンク３が備える係止片１４が載置され、接着剤で固定されている。係合片６と係止片１４とが、隙間なく係合しており、カウンタ本体２の表面７は、シンク３の表面１５と同一平面か、又はシンク３の表面１５よりも下側に位置している。【選択図】図１
2012225101.tif 000002
【特許請求の範囲】
【請求項１】
合成樹脂製のシンクとカウンタ本体を有したキッチンカウンタにおいて、前記シンクはフランジを有し、前記カウンタ本体は開口を有し、前記開口の周縁部には係合片が設けられており、前記係合片は開口の内側に突出しており、係合片の表面は前記フランジの一部と接着剤で結合されており、前記フランジの表面は、カウンタ本体の表面と同一平面か又は同一平面よりも下側に位置していることを特徴とするキッチンカウンタ。
【請求項２】
前記係合片及び前記フランジは、それぞれ傾斜面を有し、係合片とフランジは前記傾斜面同士で係合していることを特徴とする請求項１に記載のキッチンカウンタ。
【発明の詳細な説明】
【技術分野】
【０００１】
本発明は、キッチンカウンタに関し、さらに詳細には、合成樹脂製のシンクとカウンタ本体を有したキッチンカウンタに関する。
【背景技術】
【０００２】
シンクを備えたキッチンカウンタとして、カウンタ本体の上からシンクを取り付ける方式と、カウンタ本体の裏面からシンクを取り付ける方式が知られている。
【０００３】
前者の方式（オーバーシンク方式）は、カウンタ本体へのシンクの取り付けが容易である。しかし、カウンタ本体の上にシンクのフランジが載置された構造であるため、フランジの厚み分だけカウンタ本体上に出っ張る形状となり、外観が悪い。さらに、カウンタ本体の表面に水がある場合に、フランジが障壁となり、シンクへの水の流入が妨げられてしまう。
【０００４】
一方、後者の方式（アンダーシンク方式）は、シンクのフランジがカウンタ本体の裏面側に位置するため、カウンタ上面から見ると、カウンタとシンクとの接合面が見えず、外観に優れている。特許文献１には、アンダーシンク方式におけるシンクの取付構造が開示されている。
【０００５】
特許文献１に記載されたシンクの取付構造では、シンクのフランジが、カウンタの裏面と下地材とで挟み込まれており、さらに下地材が固定部材を介して天板裏打材と結合されている。その結果、シンクをカウンタに強固に固定できるとされている。また、カウンタ裏面とシンクのフランジ表面との間に第１のシール部材を設け、フランジ裏面と下地材の表面との間に第２のシール部材を設けることで、シンクに水密性をもたせることができるとされている。
【先行技術文献】
【特許文献】
【０００６】
【特許文献１】特開平５−９９６６号公報
【発明の概要】
【発明が解決しようとする課題】
【０００７】
ところが、特許文献１に記載されたシンクの取付構造では、シンクをカウンタに取り付けるために複雑な工程が必要であり、手間が掛かり面倒である。また、下地材や固定部材、天板裏打材等の間接部材が多数必要であり、原価低減のボトルネックとなってしまう。
【０００８】
そのため、例えば、図４に示すキッチンカウンタ１０１（天地逆に図示）のように、シンク１０３のフランジ１０４の表面１０５に接着剤を塗布して、カウンタ１０２の裏面１０６に直に接合することも考えらえる。しかし、この方法では、フランジ１０４の表面１０５とカウンタ１０２の裏面１０６との隙間から接着剤Ａがはみ出し、シンク１０３の化粧面１０７の美観を損ねることが懸念される。その結果、はみ出した接着剤Ａを化粧面１０７から除去する工程が新たに必要となるが、化粧面１０７は一般的に丸味を帯びているため、除去作業が面倒である。最悪の場合、作業中に化粧面１０７に傷をつけてしまう恐れもある。
【０００９】
また、カウンタ１０２の裏面１０６にシンク１０３を接着剤で直下に接合した場合、使用状態において、シンク１０３の荷重を全て接着剤で受けることになり、接着剤の劣化や接着不良等により不測の損傷を生ずる恐れがある。
【００１０】
そこで、本発明は、組み立てが容易であり、且つ美観に優れたキッチンカウンタの提供を目的とする。
【課題を解決するための手段】
【００１１】
上記課題を解決するための請求項１に記載の発明は、合成樹脂製のシンクとカウンタ本体を有したキッチンカウンタにおいて、前記シンクはフランジを有し、前記カウンタ本体は開口を有し、前記開口の周縁部には係合片が設けられており、前記係合片は開口の内側に突出しており、係合片の表面は前記フランジの一部と接着剤で結合されており、前記フランジの表面は、カウンタ本体の表面と同一平面か又は同一平面よりも下側に位置していることを特徴とするキッチンカウンタである。
【００１２】
本発明で採用するキッチンカウンタは、合成樹脂製であり、フランジを備えたシンクと、開口の周縁部に係合片が設けられたカウンタ本体を有している。係合片の表面は、フランジの一部と接着剤で結合されている。つまり、係合片の表面にフランジが載せられて係合しているものであり、例えば、両者同士の接合に接着剤を用いた場合、はみ出した接着剤は、フランジの縁の近傍に出てくるのみであり、シンクの化粧面に出てくることはない。
【００１３】
さらに、フランジの表面は、カウンタ本体の表面と同一平面か又は同一平面よりも下側に位置している。つまり、従来のオーバーシンク方式のように、カウンタ本体の上にシンクのフランジが載置された構造ではないため、美観に優れる。
【００１４】
請求項２に記載の発明は、前記係合片及び前記フランジは、それぞれ傾斜面を有し、係合片とフランジは前記傾斜面同士で係合していることを特徴とする請求項１に記載のキッチンカウンタである。
【００１５】
本発明で採用するキッチンカウンタは、係合片及びフランジにそれぞれ傾斜面が設けられている。つまり、係合片とフランジは、それぞれ段差を有していないため、両者の位置合わせが容易である。さらに、傾斜面同士で合わされた係合片（カウンタ本体）とフランジ（シンク）には、ガタ付きが生じ難い。
【発明の効果】
【００１６】
本発明のキッチンカウンタによれば、組み立てが容易であり、且つ美観に優れている。
【図面の簡単な説明】
【００１７】
【図１】本発明の第１の実施形態に係るキッチンカウンタを示す断面図であり、（ａ）は分解図、（ｂ）は一部拡大図を含む組立図である。
【図２】本発明の第２の実施形態に係るキッチンカウンタを示す断面図であり、（ａ）は分解図、（ｂ）は一部拡大図を含む組立図である。
【図３】本発明の変形例に係るキッチンカウンタの断面を示す一部拡大図であり、（ａ）は第１の実施形態の変形例、（ｂ）は第２の実施形態の変形例である。
【図４】従来のキッチンカウンタを示す断面図である。
【発明を実施するための形態】
【００１８】
以下、本発明のキッチンカウンタの実施形態について、図面を参照しながら詳細に説明する。なお、以下の説明は、実施形態の理解を容易にするためのものであり、これによって、本発明が制限して理解されるべきではない。
【００１９】
図１（ａ），（ｂ）に示すキッチンカウンタ１は、本発明の第１の実施形態である。図１（ａ）は、合成樹脂製のカウンタ本体２と、合成樹脂製のシンク３とが分解された状態を示している。
【００２０】
カウンタ本体２は、キッチン用の天板であり、中央付近に開口４を有している。開口４の周縁部５には、係合片６が設けられている。係合片６は、開口４の内側に突出している。係合片６は、天面側に段部８を有している。
【００２１】
一方、シンク３は、洗い場を成す空間１０を備えた水槽部材であり、天面側にフランジ１１を有し、底面側に排水口１２を有している。空間１０を成すシンク３の内側には、化粧面１７を有している。フランジ１１の周縁部１３には、係止片１４が設けられている。係止片１４は、フランジ１１の外側に突出している。係止片１４は、裏面側に段部１６を有している。
【００２２】
図１（ｂ）に示すキッチンカウンタ１は、カウンタ本体２とシンク３とが一体化された状態である。詳細に説明すると、カウンタ本体２が備える係合片６の上に、シンク３が備える係止片１４が載置されている。つまり、カウンタ本体２は、オーバーシンク方式であり、シンク３が載せられた状態である。係合片６の段部８と係止片１４の段部１６とが、隙間なく係合しており、図示しない接着剤で接合されている。係合片６と係止片１４との接合部１８は、フランジ１１の周縁部１３に位置している。カウンタ本体２の表面７と、シンク３の表面１５とは、同一平面に有る。このため、キッチンカウンタ１では、カウンタ本体２よりシンク３への水の流入が妨げられることはない。
【００２３】
上記の本発明の第１の実施形態に係るキッチンカウンタ１は、係合片６（カウンタ本体２）の上に係止片１４（シンク３）を載せるだけで両者を係合可能である。つまり、キッチンカウンタ１は、カウンタ本体２へのシンク３の取り付けが容易である。
【００２４】
また、係合片６（カウンタ本体２）と係止片１４（シンク３）との接合部１８は、フランジ１１の周縁部１３である。そのため、接合部１８から図示しない接着剤がはみ出した場合にでも、シンク３の化粧面１７が汚れることはない。
【００２５】
また、シンク３（係止片１４）の荷重は、係合片６（カウンタ本体２）で物理的に支持されており、接着剤の劣化や接着不良が生じた場合でも損傷の恐れが少ない。
【００２６】
図２（ａ），（ｂ）に示すキッチンカウンタ２１は、本発明の第２の実施形態である。図２（ａ）は、合成樹脂製のカウンタ本体２２と、合成樹脂製のシンク２３とが分解された状態を示している。
【００２７】
カウンタ本体２２は、前述のカウンタ本体２と同様であり、中央付近に開口２４を有している。開口２４の周縁部２５には、係合片２６が設けられている。係合片２６は、開口２４の内側に突出している。係合片２６は、天面側に傾斜面２８を有している。傾斜面２８は、略４５度の傾斜を有している。
【００２８】
一方、シンク２３は、前述のシンク３と同様であり、空間３０を備え、天面側にフランジ３１を有し、底面側に排水口３２を有している。空間３０を成すシンク２３の内側には、化粧面３７を有している。フランジ３１の周縁部３３には、係止片３４が設けられている。係止片３４は、フランジ３１の外側に突出している。係止片３４は、裏面側に傾斜面３６を有している。傾斜面３６は、略４５度の傾斜を有している。
【００２９】
図２（ｂ）に示すキッチンカウンタ２１は、カウンタ本体２２とシンク２３とが一体化された状態である。前述のキッチンカウンタ１と同様であり、簡単に説明すると、カウンタ本体２１が備える係合片２６の上に、シンク２３が備える係止片３４が載置されている。係合片２６の傾斜面２８と係止片３４の傾斜面３６とは、どちらも略４５度の傾斜を有していることから、隙間なく係合している。なお、傾斜面２８と傾斜面３６とは、図示しない接着剤で接合されている。係合片２６と係止片３４との接合部３８は、フランジ３１の周縁部３３に位置している。この状態において、カウンタ本体２２の表面２７と、シンク２３の表面３５とは、同一平面に有る。このため、キッチンカウンタ２１では、カウンタ本体２２よりシンク２３への水の流入が妨げられることはない。
【００３０】
上記の本発明の第２の実施形態に係るキッチンカウンタ２１は、キッチンカウンタ１と同様であり、係合片２６（カウンタ本体２２）の上に係止片３４（シンク２３）を載せるだけで両者を係合可能である。また、係合片２６と係止片３４との接合部３８は、フランジ３１の周縁部３３であり、接合部３８から図示しない接着剤がはみ出した場合にでも、シンク２３の化粧面３７が汚れることはない。
【００３１】
また、キッチンカウンタ２１では、係合片２６、係止片３４にそれぞれ傾斜面２８，３６が設けられているため、両者の位置合わせが容易であり、傾斜面２８，３６同士で合わされたカウンタ本体２２とシンク２３には、ガタ付きが生じ難い。
【００３２】
さらに、シンク２３（係止片３４）の荷重は、係合片２６（カウンタ本体２２）で物理的に支持されており、接着剤の劣化や接着不良が生じた場合でも損傷の恐れが少ない。
【００３３】
つぎに、図３は、本発明の変形例に係るキッチンカウンタ４１，６１の断面を示す一部拡大図である。図３（ａ）は第１の実施形態のキッチンカウンタ１の変形例であり、図３（ｂ）は第２の実施形態のキッチンカウンタ２１の変形例である。キッチンカウンタ４１，６１の符号は、それぞれキッチンカウンタ１，２１と同一の符号を用いている。
【００３４】
キッチンカウンタ４１では、シンク３のフランジ１１の厚みＤ１が、カウンタ本体２の厚みＤ２よりも小さい。そのため、シンク３の表面１５がカウンタ本体２の表面７よりも低くなっており、カウンタ本体２の表面の水がシンク３内へ流入する場合の妨げとならず、キッチンカウンタ４１の機能を充分果たすものであり、美観にも優れる。
【００３５】
同様に、キッチンカウンタ６１においても、シンク２３のフランジ３１の厚みＤ３が、カウンタ本体２２の厚みＤ２よりも小さく、シンク２３の表面３５がカウンタ本体２２の表面２７よりも低くなっており、カウンタ本体２２の表面の水がシンク２３内へ流入する場合の妨げとならず、キッチンカウンタ６１の機能を充分果たすものであり、美観にも優れる。
【符号の説明】
【００３６】
１，２１，４１，６１    キッチンカウンタ
２，２２    カウンタ本体
３，２３    シンク
４，２４    開口
５，２５    周縁部
６，２６    係合片
７，１５，２７，３５    表面
１１，３１    フランジ
２８，３６    傾斜面
【図１】
2012225101.tif 000003
【図２】
2012225101.tif 000004
【図３】
2012225101.tif 000005
【図４】
2012225101.tif 000006